(57)【要約】【課題】各種電気機器特に電磁調理器に使用されるタッチキーにおいて、静電気を帯びた人が電極部に触れても破壊や誤動作のない安定した動作をすること。【解決手段】電気絶縁物よりなるプレート部と、このプレート部の表裏に設けた電極部と、この電極部のどちらか一方に設けた導電性経路部と、この導電性経路部を接地電位にある物体に接近して配置した構成とすることにより、静電気を帯びた人が電極部に触れても破壊や誤動作のない信頼性の高いタッチキーを提供できる。【選択図】図１
2007080832.tif 000002
【特許請求の範囲】
【請求項１】
電気絶縁物よりなるプレート部と、このプレート部の表裏に設けた電極部と、この電極部のどちらか一方に設けた導電性経路部と、この導電性経路部を接地電位にある物体に接近して配置したタッチキー。
【請求項２】
電極部は単位長さ当たり所定の面積を有し、導電性経路部は単位長さ当たり前記電極部の面積より小さく設定した請求項１記載のタッチキー。
【請求項３】
導電性経路部は金属製の筐体に接近して配置した請求項１記載のタッチキー。
【請求項４】
表裏一対よりなる電極部を複数組設け、それぞれの電極部の間に導電性領域部を設け、この導電性領域部を接地電位としたタッチキー。
【請求項５】
電極部と、この電極部からの信号を入力する制御回路部と、前記電極部と電気的につながった補助電極部と、この補助電極部と接触し、前記電極部の信号を前記制御回路部に入力する接触電極部とを有し、前記補助電極部は幅の狭い帯状形状で構成し、前記接触電極部は前記補助電極部と交差する幅の狭い帯状形状で構成したタッチキー。
【請求項６】
電極部と、この電極部からの信号を入力する制御回路部と、前記電極部と電気的につながった補助電極部と、この補助電極部と接触し、前記電極部の信号を前記制御回路部に入力する接触電極部とを有し、前記補助電極部は短冊状の形状で構成したタッチキー。
【請求項７】
電源の入り、切りを制御する第１の電極部と、温度設定を変えるまたは他の制御信号を入力する第２、第３の電極部を有し、電源入りの信号を受け付ける第１の電極部の接触時間を他の制御信号を受け付ける第２または第３の電極部の接触時間より長く設定したタッチキー。
【請求項８】
請求項１〜７いずれか１項記載のタッチキーを有する電磁調理器。
【発明の詳細な説明】
【技術分野】
【０００１】
本発明は、各種の機器、特に電磁調理器等のフラットパネルを有する機器のフラットパネルを構成するプレート部に設けたタッチキー及びこれを有する電磁調理器に関するものである。
【背景技術】
【０００２】
従来、この種のタッチキーは、例えば図８、図９に示すものが提案されている。図８はタッチキーの側面から見た図で、１はガラス等の表面の平らな電気絶縁物のプレート部である。２３、２４はプレート部１の対向する位置に設けた電極部で、電極部２３、２４とプレート部１でコンデンサを形成している。８はプレート部１の裏側に設けた電極部２４に接触し、プレート部１の表側電極２３に指６で触れたときの信号電圧レベルを制御回路部５に伝える接触電極部である。制御回路部５は高周波電圧を電極部２４に送り、電極部２３に指６で触れたとき高周波電圧を電極部２４、プレート部１、電極部２３、指６を通じてバイパスし、電極部２４に現れる電圧が低下することを検知して電極部２３に触れたことを検知するものである。
【０００３】
図９はタッチキーを電磁調理器に適用した例で、１はガラス等でできたプレート部、７は筐体である。２５はプレート部１に設けた複数のタッチキーの表側電極である。
【０００４】
１ａはプレート部１に設けた鍋置き部で、ここに鍋を置きプレート部１の下にあるコイル部（図示せず）より鍋に渦電流を流し、鍋を加熱し鍋内の食品を調理するものである。
【発明の開示】
【発明が解決しようとする課題】
【０００５】
しかしながらこのような構成のものでは、人体が帯電しているとき、この帯電電圧は指６から電極部２３に放電し、電極部２４、接触電極部８を通じて制御回路部５に印加され制御回路部５を破壊するという課題があった。
【課題を解決するための手段】
【０００６】
本発明は上記課題を解決するために、プレート部の表または裏側に設けた電極部のどちらか一方を接地電位にある物体に近づけ、帯電した指が電極に接近し、電極に放電しても高電圧を前記接地電位にある物体に放電させ、高電圧が制御回路部に印加されないようにしたものである。
【発明の効果】
【０００７】
本発明の請求項１〜４に記載の発明によれば、電極部に静電気が印加されても破壊や誤動作のない安定した動作をするタッチキーを提供することができる。
【０００８】
請求項５、６に記載の発明によれば、タッチキーの電極とは別に設けた信号取り出し用の補助電極部の上部のプレート部に触れても誤動作がなく、プレートの設置位置がずれても接触不良のない安定した動作のタッチキーを提供することができる。
【０００９】
また請求項７に記載の発明によれば、電源投入の受付時間を他の制御のタッチキーの受付時間より長く設定したから、誤って電源を入れてしまうという危険性のない安全なタッチキーを提供することができる。
【００１０】
また、請求項８に記載の発明によれば、請求項１〜７いずれか１項記載のタッチキーを有する電磁調理器としたので、操作性、安全性に優れ、安定性のある使い勝手の良い電磁調理器を提供することができる。
【発明を実施するための最良の形態】
【００１１】
請求項１に記載の発明は、電気絶縁物よりなるプレート部と、このプレート部の表裏に設けた電極部と、この電極部のどちらか一方に設けた導電性経路部と、この導電性経路部を接地電位にある物体に接近して配置したから、電極部は所定の位置に配置でき静電気が加わっても制御回路部に影響のない信頼性の高いタッチキーを実現できる。
【００１２】
請求項２に記載の発明は、電極部は単位長さ当たり所定の面積を有し、導電性経路部は単位長さ当たり前記電極部の面積より小さく設定したから、導電性経路部が通っているプレート面の上部を触れても誤動作のないタッチキーを実現できる。
【００１３】
請求項３に記載の発明は、導電性経路は金属製の筐体に接近して配置したから、電極に高電圧が印加されても筐体に高電圧を放電させ、制御回路部に高電圧が印加されない信頼性の高いタッチキーを実現できる。
【００１４】
請求項４に記載の発明は、表裏一対よりなる電極部を複数組設け、それぞれの電極部の間に導電性の領域を設け、この導電性領域部を接地電位としたから、隣の電極に触れても影響のない信頼性の高いタッチキーが実現できる。
【００１５】
請求項５に記載の発明は、電極部と、この電極部からの信号を入力する制御回路部と、前記電極部と電気的につながった補助電極部と、この補助電極部と接触し、前記電極部の信号を前記制御回路部に入力する接触電極部とを有し、前記補助電極部は幅の狭い帯状形状で構成し、前記接触電極部は前記補助電極部と交差する幅の狭い帯状形状で構成したから、補助電極部の上のパネル部に触れても誤動作のない、またプレートの位置がある程度ずれても制御回路部の接触電極部とプレート部の電極部との接触が保たれた信頼性の高いタッチキーを実現できる。
【００１６】
請求項６に記載の発明は、電極部と、この電極部からの信号を入力する制御回路部と、前記電極部と電気的につながった補助電極部と、この補助電極部と接触し、前記電極部の信号を前記制御回路部に入力する接触電極部とを有し、前記補助電極部は短冊状の形状で構成したから、補助電極部の上のプレート部に触れても誤動作のない、またプレートの位置がある程度ずれても制御回路部の接触電極部とプレート部の電極部との接触が保たれた信頼性の高いタッチキーを実現できる。
【００１７】
請求項７に記載の発明は、電源の入り、切りを制御する第１の電極部と、温度設定を変えるまたは他の制御信号を入力する第２、第３の電極部を有し、電源入りの信号を受け付ける第１の電極部の接触時間を他の制御信号を受け付ける第２または第３の電極部の接触時間より長く設定したから、誤って電源を入れるということのない安全性の高い、また操作のしやすいタッチキーを実現できる。
【００１８】
また、請求項８に記載の発明によれば、請求項１〜７いずれか１項記載のタッチキーを有する電磁調理器としたので、操作性に優れ、使い勝手の良い電磁調理器を提供することができる。
【００１９】
以下、本発明の実施の形態について図面を用いて説明する。なお、従来例と同じものは同じ記号を用いて説明を省略する。
【００２０】
（実施の形態１）
本実施の形態について図１、図２を用いて説明する。図１は本発明のタッチキーの側面図、図２はプレート部１の裏から見た図で、電極部３、導電経路部４を示している。２はガラス等で構成したプレート部１の表側に設けた電極部で、指６で触れることができる。３はプレート部１の裏側に電極部２と対向して設けた電極部で、電極部２、プレート部１、電極部３でコンデンサを構成している。また電極部３は接触電極部８に接し、電極部２に指６で触れたときその信号を制御回路部５に送るものである。４は電極部３につながる導電性経路部で、電極部３に対して単位長さ当たりの面積が小さいものである。
【００２１】
以上の構成で、タッチキーの使用者がセータを着る等をして静電気を帯びた場合、帯電した指６を電極部２に接近させたとき帯電電圧は電極部２に放電し、その電圧は電極部３から導電性経路部４を経て金属筐体７に放電し、制御回路部５に影響を与えないものである。導電性経路部４は金属筐体７に放電させたが、他の接地電位にある物体に放電させてもよい。またこの導電性経路部４の幅を狭くすることにより、導電性経路部４の上部のプレート部４ａ部を指６で触れた場合、導電性経路部４とプレート部１、指６で構成するコンデンサの容量を小さくすることができ、プレート部１の４ａ部を触れても検知せず、誤動作を防ぐことができる。
【００２２】
（実施の形態２）
本発明の第２の実施の形態を図３に示す。図３はプレート部１を裏から見た図で、裏側に設けた３個の電極部９、１０、１１があり、この電極部９、１０、１１にプレート部１を挟んで対向する位置にそれぞれ３個の電極部があり（図示せず）、タッチキー３組を構成している。この電極部９、１０、１１の間に導電性の領域を設け、接地電位にする。以上の構成で、電極部９の表側にある対向電極に触れたとき、隣側にある電極１０に生じる電圧変化を小さくすることができ、電極１０で構成するタッチキーに触れてないのに触れたと検知する動作を防ぐことができる。
【００２３】
（実施の形態３）
図４、図５に第３の実施の形態を示す。図４はプレート部１を裏から見た図で、電極部１３と電極部１３とつながって帯状の補助電極部１４がある。１５は制御回路部５と接続した帯状の接触電極部で補助電極部１４と交差している。
【００２４】
以上の構成で、補助電極部１４と接触電極部１５の交差点の上部のプレート部１４ａ部を指で触れたとき、補助電極部１４と接触電極部１５の交差点、プレート部１、指で構成されたコンデンサの容量値は小さいため、指で触れたときの電圧変化はわずかとなり、プレート部１４ａ部を触れても触れたと認識せず、誤動作を防ぐことができる。また補助電極部１４は帯状に長く、接触電極部１５も帯状に長いため、プレート部１の設置位置がずれても電極部１４と接触電極部１５の接触は保たれ確実に動作する。
【００２５】
なお、補助電極部１４は制御回路部５に接続された接触電極部１５が補助電極部１４に接触して、表電極部１６に触れたかどうかの信号を取り出すため、電極部１６の配置と制御回路部５の配置の位置関係、筐体７との位置関係およびその他の障害物との位置関係で必要となり、電極部６あるいは制御回路部５の配置の自由度を増すものである。
【００２６】
（実施の形態４）
図６に本発明の第４の実施の形態を示す。図６は補助電極部１８を短冊状に構成し、補助電極部１８の面積を小さく、かつ接触電極部１９との接触をより確実にしたものである。
【００２７】
（実施の形態５）
図７に本発明の第５の実施の形態を示す。２０、２１、２２はプレート部１の表側に設けた電極部で、２０は電源を入りあるいは切りを制御するタッチキー、２１は温度設定レベルを高く設定するタッチキー、２２は温度設定レベルを低く設定するタッチキーである。タッチキー２０に触れたとき、制御回路部５はタッチキー２０に所定時間ｔ１連続して触れたときタッチキー２０に触れたと認識し、電源を入れる。またタッチキー２１、２２に触れて温度設定レベルを変えるときも所定時間ｔ２連続して触れたとき、触れたと認識する構成とし、さらにｔ１＞ｔ２に設定する。
【００２８】
以上の構成にすることにより、誤って電源を入れてしまう危険性を小さくし、かつ温度設定レベルは軽く設定できる使いやすいタッチキーを実現できるものである。また、このタッチキーを電磁調理器に用いることにより、家庭内で安全性の高い、かつ使いやすい電磁調理器を提供できるものである。
【産業上の利用可能性】
【００２９】
以上のように本発明にかかるタッチキー及びこれを有する電磁調理器は、安定した動作をするので、フラットパネルを有する機器のフラットパネルを構成するプレート部に設けたタッチキー及びこれを有する加熱機器等の用途にも適用できる。
【図面の簡単な説明】
【００３０】
【図１】本発明の実施の形態１におけるタッチキーの側面図
【図２】本発明の実施の形態１におけるタッチキーのプレート部の裏面から見た電極部の平面図
【図３】本発明の実施の形態２におけるタッチキーのプレート部の裏面から見た電極部の平面図
【図４】本発明の実施の形態３におけるタッチキーのプレート部裏面から見た電極部と接触電極部の平面図
【図５】本発明の実施の形態３におけるタッチキーの側面図
【図６】本発明の実施の形態４におけるタッチキーのプレート部の裏面から見た電極部の平面図
【図７】本発明の実施の形態５におけるタッチキーのプレート部表面から見た電極部の平面図
【図８】タッチキーの従来例の側面図
【図９】タッチキーを電磁調理器に用いた例を示す斜視図
【符号の説明】
【００３１】
１  プレート部
２、３、９、１０、１１、１３、１６、１７、２０、２１、２２、２３、２４、２５  電極部
４  導電経路部
７  筐体
１２  導電性領域部
１４、１８  助電極部
１５、１９、８  接触電極部
５  制御回路部
【図１】
2007080832.tif 000003
【図２】
2007080832.tif 000004
【図３】
2007080832.tif 000005
【図４】
2007080832.tif 000006
【図５】
2007080832.tif 000007
【図６】
2007080832.tif 000008
【図７】
2007080832.tif 000009
【図８】
2007080832.tif 000010
【図９】
2007080832.tif 000011
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記裏側電極部に対向して前記プレート部の表側に設けられた表側電極部に指が触れたとき前記裏側電極部の電圧が低下することを検知して前記表側電極部に触れたことを検知する制御回路部と、前記裏側電極部と電気的につながった補助電極部と、この補助電極部と接触し、前記裏側電極部の電圧を前記制御回路部に送る接触電極部とを有し、前記補助電極部は幅の狭い帯状形状で構成され、かつ前記接触電極部は前記補助電極部と交差する幅の狭い帯状形状で構成されることにより、前記補助電極部と前記接触電極部の交差点の上部のプレート部を触れても前記制御回路部が触れたと検知しないようにした電磁調理器。
【請求項２】
補助電極部は幅の狭い帯状形状で構成されることに代え、短冊状の形状で構成された請求項１に記載の電磁調理器。
【手続補正２】
【補正対象書類名】明細書
【補正対象項目名】０００１
【補正方法】変更
【補正の内容】
【０００１】
本発明は、フラットパネルを構成するプレート部に設けたタッチキーを有する電磁調理器に関するものである。
【手続補正３】
【補正対象書類名】明細書
【補正対象項目名】０００２
【補正方法】変更
【補正の内容】
【０００２】
従来、この種のタッチキーは、例えば図８、図９に示すものが提案されている。図８はタッチキーの側面から見た図で、１はガラス等の表面の平らな電気絶縁物のプレート部である。２３、２４はプレート部１の対向する位置に設けた電極部で、電極部２３、２４とプレート部１でコンデンサを形成している。８はプレート部１の裏側に設けた電極部２４に接触し、プレート部１の表側電極部２３に指６で触れたときの信号電圧レベルを制御回路部５に伝える接触電極部である。制御回路部５は高周波電圧を電極部２４に送り、電極部２３に指６で触れたとき高周波電圧を電極部２４、プレート部１、電極部２３、指６を通じてバイパスし、電極部２４に現れる電圧が低下することを検知して電極部２３に触れたことを検知するものである。
【手続補正４】
【補正対象書類名】明細書
【補正対象項目名】０００３
【補正方法】変更
【補正の内容】
【０００３】
図９はタッチキーを電磁調理器に適用した例で、１はガラス等でできたプレート部、７は筐体である。２５はプレート部１に設けた複数のタッチキーの表側電極部である。
【手続補正５】
【補正対象書類名】明細書
【補正対象項目名】０００５
【補正方法】変更
【補正の内容】
【０００５】
本発明は、タッチキーの電極とは別に設けた信号取り出し用の補助電極部の上部のプレート部に触れても誤動作がなく、プレートの設置位置がずれても接触不良のない安定した動作のタッチキーを有する電磁調理器を提供することを目的とする。
【手続補正６】
【補正対象書類名】明細書
【補正対象項目名】０００６
【補正方法】変更
【補正の内容】
【０００６】
本発明は上記課題を解決するために、電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記裏側電極部に対向して前記プレート部の表側に設けられた表側電極部に指が触れたとき前記裏側電極部の電圧が低下することを検知して前記表側電極部に触れたことを検知する制御回路部と、前記裏側電極部と電気的につながった補助電極部と、この補助電極部と接触し、前記裏側電極部の電圧を前記制御回路部に送る接触電極部とを有し、前記補助電極部は幅の狭い帯状形状で構成され、かつ前記接触電極部は前記補助電極部と交差する幅の狭い帯状形状で構成されることにより、前記補助電極部と前記接触電極部の交差点の上部のプレート部を触れても前記制御回路部が触れたと検知しないようにしたものである。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明によれば、裏側電極部とは別に設けた信号取り出し用の補助電極部の上部のプレート部に触れても誤動作がなく、プレートの設置位置がずれても接触不良のない安定した動作の電磁調理器を提供することができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
請求項１に記載の発明は、電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記裏側電極部に対向して前記プレート部の表側に設けられた表側電極部に指が触れたとき前記裏側電極部の電圧が低下することを検知して前記表側電極部に触れたことを検知する制御回路部と、前記裏側電極部と電気的につながった補助電極部と、この補助電極部と接触し、前記裏側電極部の電圧を前記制御回路部に送る接触電極部とを有し、前記補助電極部は幅の狭い帯状形状で構成され、かつ前記接触電極部は前記補助電極部と交差する幅の狭い帯状形状で構成し、前記補助電極部と前記接触電極部の交差点の上部のプレート部を触れても前記制御回路部が触れたと検知しないようにしたから、補助電極部の上のパネル部に触れても誤動作のない、またプレートの位置がある程度ずれても制御回路部の接触電極部とプレート部の電極部との接触が保たれた信頼性の高い電磁調理器を実現できる。
【手続補正１６】
【補正対象書類名】明細書
【補正対象項目名】００１６
【補正方法】変更
【補正の内容】
【００１６】
請求項２に記載の発明は、特に、補助電極部は幅の狭い帯状形状で構成されることに代え、短冊状の形状で構成したから、補助電極部の上のプレート部に触れても誤動作のない、またプレートの位置がある程度ずれても制御回路部の接触電極部とプレート部の電極部との接触が保たれた信頼性の高いタッチキーを実現できる。
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】変更
【補正の内容】
【００１９】
以下、本発明の実施の形態及び参考に形態について図面を用いて説明する。なお、従来例と同じものは同じ記号を用いて説明を省略する。
【手続補正２０】
【補正対象書類名】明細書
【補正対象項目名】００２０
【補正方法】変更
【補正の内容】
【００２０】
（参考の形態１）
本参考の形態について図１、図２を用いて説明する。図１は本発明のタッチキーの側面図、図２はプレート部１の裏から見た図で、電極部３、導電経路部４を示している。２はガラス等で構成したプレート部１の表側に設けた電極部で、指６で触れることができる。３はプレート部１の裏側に電極部２と対向して設けた電極部で、電極部２、プレート部１、電極部３でコンデンサを構成している。また電極部３は接触電極部８に接し、電極部２に指６で触れたときその信号を制御回路部５に送るものである。４は電極部３につながる導電性経路部で、電極部３に対して単位長さ当たりの面積が小さいものである。
【手続補正２１】
【補正対象書類名】明細書
【補正対象項目名】００２２
【補正方法】変更
【補正の内容】
【００２２】
（参考の形態２）
本発明の第２の参考の形態を図３に示す。図３はプレート部１を裏から見た図で、裏側に設けた３個の電極部９、１０、１１があり、この電極部９、１０、１１にプレート部１を挟んで対向する位置にそれぞれ３個の電極部があり（図示せず）、タッチキー３組を構成している。この電極部９、１０、１１の間に導電性の領域１２を設け、接地電位にする。以上の構成で、電極部９の表側にある対向電極に触れたとき、隣側にある電極１０に生じる電圧変化を小さくすることができ、電極１０で構成するタッチキーに触れてないのに触れたと検知する動作を防ぐことができる。
【手続補正２２】
【補正対象書類名】明細書
【補正対象項目名】００２３
【補正方法】変更
【補正の内容】
【００２３】
（実施の形態１）
図４、図５に第１の実施の形態を示す。図４はプレート部１を裏から見た図で、電極部１３と電極部１３とつながって帯状の補助電極部１４がある。１５は制御回路部５と接続した帯状の接触電極部で補助電極部１４と交差している。
【手続補正２３】
【補正対象書類名】明細書
【補正対象項目名】００２６
【補正方法】変更
【補正の内容】
【００２６】
（実施の形態２）
図６に本発明の第２の実施の形態を示す。図６は補助電極部１８を短冊状に構成し、補助電極部１８の面積を小さく、かつ接触電極部１９との接触をより確実にしたものである。
【手続補正２４】
【補正対象書類名】明細書
【補正対象項目名】００２７
【補正方法】変更
【補正の内容】
【００２７】
（参考の形態３）
図７に本発明の第３の参考の形態を示す。２０、２１、２２はプレート部１の表側に設けた電極部で、２０は電源を入りあるいは切りを制御するタッチキー、２１は温度設定レベルを高く設定するタッチキー、２２は温度設定レベルを低く設定するタッチキーである。タッチキー２０に触れたとき、制御回路部５はタッチキー２０に所定時間ｔ１連続して触れたときタッチキー２０に触れたと認識し、電源を入れる。またタッチキー２１、２２に触れて温度設定レベルを変えるときも所定時間ｔ２連続して触れたとき、触れたと認識する構成とし、さらにｔ１＞ｔ２に設定する。
【手続補正２５】
【補正対象書類名】明細書
【補正対象項目名】００２９
【補正方法】変更
【補正の内容】
【００２９】
以上のように本発明にかかるタッチキーを有する電磁調理器は、安定した動作をするので、フラットパネルを構成するプレート部に設けたタッチキーを有する電磁調理器に適用できる。
【手続補正２６】
【補正対象書類名】明細書
【補正対象項目名】００３０
【補正方法】変更
【補正の内容】
【００３０】
【図１】本発明の参考の形態１におけるタッチキーの側面図
【図２】本発明の参考の形態１におけるタッチキーのプレート部の裏面から見た電極部の平面図
【図３】本発明の参考の形態２におけるタッチキーのプレート部の裏面から見た電極部の平面図
【図４】本発明の実施の形態１におけるタッチキーのプレート部裏面から見た電極部と接触電極部の平面図
【図５】本発明の実施の形態１におけるタッチキーの側面図
【図６】本発明の実施の形態２におけるタッチキーのプレート部の裏面から見た電極部の平面図
【図７】本発明の参考の形態３におけるタッチキーのプレート部表面から見た電極部の平面図
【図８】タッチキーの従来例の側面図
【図９】タッチキーを電磁調理器に用いた例を示す斜視図
【手続補正２７】
【補正対象書類名】図面
【補正対象項目名】図１
【補正方法】変更
【補正の内容】
【図１】
2007080832.tif 000012
【手続補正２８】
【補正対象書類名】図面
【補正対象項目名】図３
【補正方法】変更
【補正の内容】
【図３】
2007080832.tif 000013
【手続補正２９】
【補正対象書類名】図面
【補正対象項目名】図５
【補正方法】変更
【補正の内容】
【図５】
2007080832.tif 000014